(57)【要約】【課題】  接点部の接触信頼性を向上すること。【解決手段】  ケース部品１１の第１の側面部１３は接続対象部品４１とロックする第１のロック部１５を有し、前記ケース部品１１の第２の側面部１４は前記接続対象部品４１とロックする第２のロック部１７を有する。前記ケーブル部品３１には前記接続対象部品４１の接点部４５と摺接するケーブル接点部３３が配設されている。前記弾性体２１は前記接点部４５と対向する位置に突部２５を有する。前記第１及び第２のロック部１５，１７は前記ケース部品１１及び前記接続対象部品４１のいずれか一方をスライド移動することにより係合する係合部１５ｂ、１７ｂを有する。【選択図】  図２
2009064670.tif 000002
【特許請求の範囲】
【請求項１】
接続対象部品を装着し前記接続対象部品とロックするケース部品と、前記ケース部品に設ける弾性体と、前記接続対象部品と接続するケーブル部品とを含むモジュールソケットにおいて、
前記ケース部品は前記弾性体を設ける底面部と、前記底面部上に立設している第１の側面部と、前記第１の側面部に対向し前記底面部上に立設している第２の側面部とを有し、
前記第１の側面部は、前記接続対象部品をロックする第１のロック部と、前記ケーブル部品の長手方向で前記ケーブル部品を挿通するケーブル挿通部とを有し、
前記第２の側面部は、前記接続対象部品をロックする第２のロック部と、前記底面部上に前記ケーブル部品を位置決めする位置決め部とを有し、
前記ケーブル部品は、前記位置決め部と係合して前記ケーブル部品を位置決めするケーブル位置決め部を有し、
前記ケーブル部品の一方の面には、前記長手方向と直交する幅方向に長い形状であって、かつ前記ケース部品と前記接続対象部品とをロックした際に前記ケース部品の前記底面部と対向する前記接続対象部品の面に配設されている複数個の接点部と摺接するケーブル接点部が配設されており、
前記弾性体は、前記底面部と前記ケーブル部品との間に配置され、前記ケーブル接点部が前記底面部と対向しない面で前記ケース部品に位置決めされ、前記ケース部品と前記接続対象部品とがロックした際に前記接続対象部品の前記接点部と対向する位置に形成した突部を有し、
前記第１のロック部及び前記第２のロック部は、前記接続対象部品から突出している被係合部を挿入し前記ケース部品及び前記接続対象部品のいずれか一方を前記幅方向へスライド移動することにより、前記ケース部品と前記接続対象部品とをロックする係合部を有することを特徴とするモジュールソケット。
【請求項２】
請求項１記載のモジュールソケットにおいて、前記係合部は、前記幅方向に長い長孔形状を呈していることを特徴とするモジュールソケット。
【請求項３】
請求項１記載のモジュールソケットにおいて、前記第１のロック部及び前記第２のロック部のそれぞれは、前記第１の側面部及び前記第２の側面部の上端から前記底面部へ向かって切欠き状に形成されている挿入部を有し、前記係合部が前記挿入部に連設されていることを特徴とするモジュールソケット。
【請求項４】
請求項１記載のモジュールソケットにおいて、前記ケーブル挿通部及び前記位置決め部は、前記幅方向で前記底面部と平行となるように形成されている長孔であることを特徴とするモジュールソケット。
【請求項５】
請求項１記載のモジュールソケットにおいて、前記ケーブル接点部を配設した一方の面と対向している前記ケーブル部品の他面と前記弾性体とが、一体になっていることを特徴とするモジュールソケット。
【請求項６】
請求項１記載のモジュールソケットにおいて、前記弾性体は、前記ケース部品と一体となっていることを特徴とするモジュールソケット。
【請求項７】
請求項１記載のモジュールソケットにおいて、前記弾性体は、前記突部が前記接続対象部品の前記接点部のピッチよりも細かく形成されて配設されていることを特徴とするモジュールソケット。
【請求項８】
請求項１記載のモジュールソケットにおいて、前記ケース部品は、金属材料によって作られていることを特徴とするモジュールソケット。
【発明の詳細な説明】
【技術分野】
【０００１】
本発明は、接続対象部品を電気的及び機械的に接続するモジュールソケットに属する。
【背景技術】
【０００２】
発明と関連する技術としては、同一の１枚の金属板を打ち抜き折り曲げることにより、上方が開放され箱状に形成されている電気部品用ソケットが知られている（例えば、特許文献１を参照）。
【０００３】
電気部品用ソケットは、電気部品が挿着される電気部品挿着部と、電気部品装着部に設けられ、装着された電気部品を位置決めする電気部品位置決め部と、ケーブルが装着されるケーブル装着部と、ケーブル装着部に設けられ、装着されたケーブルを位置決めするケーブル位置決め部と、電気部品の接点部とケーブルの接点部とを接触させるための弾性片からなる押圧部とを備えている。
【０００４】
電気部品装着部は、上方が開口された装着口を有する。この装着口の下方には、平板状の底板部が設けられている。底板部からは、底板部を囲むように４個の側板が立設されて箱型に形成されている。４個の側板の上端側中央には、横長状の孔が設けられている。横長状の孔と、電気部品に設けられた突起部とは、これらが係合することにより電気部品の上方向の位置決めを行う位置決め部となる。
【０００５】
また、一方の対向する一対の側板の下方で底板部との間には、開口された挿入口が設けられている。この一対の挿入口と底板部との間は、ケーブル装着部となっている。ケーブル装着部の挿入口の上端部には、側板から下方へ突出された突起が形成されている。突起とケーブルに設けられた係止孔とは係合することにより、ケーブルの前後方向の位置決めを行うケーブル位置決め部となっている。
【０００６】
また、電気部品装着部の底板部には、押圧部が設けられている。この押圧部は、底板部中央からそれぞれ対向するようにケーブル装着部の挿入口方向に向かって延出されている。押圧部の自由端側は、上方へ屈曲された複数の弾性片から形成されている。弾性片は、ケーブルの複数の接点部に対応して複数形成されており、この複数の弾性片でケーブルの複数の接点部をそれぞれ押圧するようになっている。
【０００７】
【特許文献１】特開２００６−１９１３９号公報（公報の段落［００１８］〜［００２３］，図１〜図５）
【発明の開示】
【発明が解決しようとする課題】
【０００８】
特許文献１の電気部品用ソケットでは、ケーブルの接点部と、電気部品装着部に装着された電気部品の接点部とが弾接して接続するので、いずれかの接点部に塵やオイルなどの汚染物などが付着していると、接触不良となるという問題がある。
【０００９】
また、特許文献１の電気部品用ソケットでは、電気部品の接点部を構成するパターンが狭い間隔（ピッチ）になった場合に、複数の弾性片を有する押圧部の弾性形状の構成が不可能になってしまうという問題がある。
【００１０】
さらに、電気部品挿着部の底板部には穴が開いている形状となっているために、接触圧力を受けるだけの十分な剛性が得られないという問題がある。
【００１１】
それ故に、本発明の課題は、接点部に付着した塵やオイルなどの汚染物を除去し、接触信頼性を向上することができるモジュールソケットを提供することにある。
【課題を解決するための手段】
【００１２】
本発明は、接続対象部品を装着し前記接続対象部品とロックするケース部品と、前記ケース部品に設ける弾性体と、前記接続対象部品と接続するケーブル部品とを含むモジュールソケットにおいて、前記ケース部品は前記弾性体を設ける底面部と、前記底面部上に立設している第１の側面部と、前記第１の側面部に対向し前記底面部上に立設している第２の側面部とを有し、前記第１の側面部は、前記接続対象部品をロックする第１のロック部と、前記ケーブル部品の長手方向で前記ケーブル部品を挿通するケーブル挿通部とを有し、前記第２の側面部は、前記接続対象部品をロックする第２のロック部と、前記底面部上に前記ケーブル部品を位置決めする位置決め部とを有し、前記ケーブル部品は、前記位置決め部と係合して前記ケーブル部品を位置決めするケーブル位置決め部を有し、前記ケーブル部品の一方の面には、前記長手方向と直交する幅方向に長い形状であって、かつ前記ケース部品と前記接続対象部品とをロックした際に前記ケース部品の前記底面部と対向する前記接続対象部品の面に配設されている複数個の接点部と摺接するケーブル接点部が配設されており、前記弾性体は、前記底面部と前記ケーブル部品との間に配置され、前記ケーブル接点部が前記底面部と対向しない面で前記ケース部品に位置決めされ、前記ケース部品と前記接続対象部品とがロックした際に前記接続対象部品の前記接点部と対向する位置に形成した突部を有し、前記第１のロック部及び前記第２のロック部は、前記接続対象部品から突出している被係合部を挿入し前記ケース部品及び前記接続対象部品のいずれか一方を前記幅方向へスライド移動することにより、前記ケース部品と前記接続対象部品とをロックする係合部を有することを特徴とするモジュールソケットであることを最も主要な特徴とする。
【発明の効果】
【００１３】
本発明のモジュールソケットは、ケーブル部品と接続対象部品とのいずれか一方をスライド移動させることによってロックする構成となっている。したがって、ケーブル部品が接続対象部品に対してスライド移動する際には、ケーブル部品の接点部と接続対象部品の接点部とが摺接する。このとき、各接点部に付着している塵やオイルなどの汚染物は、接点部が摺接することによるワイピング効果により取り除くことができるので、接点部の接触信頼性を向上できるという利点がある。
【発明を実施するための最良の形態】
【００１４】
本発明のモジュールソケットは、接続対象部品を装着し前記接続対象部品とロックするケース部品と、前記ケース部品に設ける弾性体と、前記接続対象部品と接続するケーブル部品とを含むモジュールソケットにおいて、前記ケース部品は前記弾性体を設ける底面部と、前記底面部上に立設している第１の側面部と、前記第１の側面部に対向し前記底面部上に立設している第２の側面部とを有し、前記第１の側面部は、前記接続対象部品をロックする第１のロック部と、前記ケーブル部品の長手方向で前記ケーブル部品を挿通するケーブル挿通部とを有し、前記第２の側面部は、前記接続対象部品をロックする第２のロック部と、前記底面部上に前記ケーブル部品を位置決めする位置決め部とを有し、前記ケーブル部品は、前記位置決め部と係合して前記ケーブル部品を位置決めするケーブル位置決め部を有し、前記ケーブル部品の一方の面には、前記長手方向と直交する幅方向に長い形状であって、かつ前記ケース部品と前記接続対象部品とをロックした際に前記ケース部品の前記底面部と対向する前記接続対象部品の面に配設されている複数個の接点部と摺接するケーブル接点部が配設されており、前記弾性体は、前記底面部と前記ケーブル部品との間に配置され、前記ケーブル接点部が前記底面部と対向しない面で前記ケース部品に位置決めされ、前記ケース部品と前記接続対象部品とがロックした際に前記接続対象部品の前記接点部と対向する位置に形成した突部を有し、前記第１のロック部及び前記第２のロック部は、前記接続対象部品から突出している被係合部を挿入し前記ケース部品及び前記接続対象部品のいずれか一方を前記幅方向へスライド移動することにより、前記ケース部品と前記接続対象部品とをロックする係合部を有することによりに実現した。
【実施例１】
【００１５】
図１は、本発明に係るモジュールソケットの実施例１を示している。図２は、図１に示したモジュールソケットを分解した状態を示している。
【００１６】
図１及び図２を参照して、モジュールソケットは、ケース部品１１と、ケース部品１１に配設される弾性体２１と、弾性体２１上に配設されるケーブル部品３１とを有する。
【００１７】
モジュールソケットは、ケース部品１１に接続対象部品４１が装着され、接続対象部品４１とケース部品１１とが機械的にロックされる。接続対象部品４１とケース部品１１とがロックされた状態では、ケーブル部品３１と接続対象部品４１とは電気的に接続される。
【００１８】
なお、以下に説明するモジュールソケット及び接続対象部品４１の説明においては、図２において示した矢印Ａ１方向及び矢印Ａ１方向とは逆向きの矢印Ａ２方向を長手方向Ａ１・Ａ２と呼ぶことにする。長手方向Ａ１・Ａ２は、ケーブル部品３１の長手方向に相当する方向である。
【００１９】
また、図２において示した矢印Ｂ１方向及び矢印Ｂ１方向とは逆向きの矢印Ｂ２方向を幅方向Ｂ１・Ｂ２と呼ぶことにする。幅方向Ｂ１・Ｂ２は、ケーブル部品３１の長手方向Ａ１・Ａ２と直交する方向に相当する。
【００２０】
さらに、図２において示した矢印Ｃ１方向及び矢印Ｃ１とは逆向きの矢印Ｃ２方向を厚み方向Ｃ１・Ｃ２と呼ぶことにする。厚み方向Ｃ１・Ｃ２は、ケーブル部品３１の長手方向Ａ１・Ａ２及び幅方向Ｂ１・Ｂ２と直交する方向に相当する。
【００２１】
長手方向Ａ１・Ａ２、幅方向Ｂ１・Ｂ２、及び厚み方向Ｃ１・Ｃ２は、これらが互いに直角に交差する関係となる。
【００２２】
さらに、長手方向Ａ１・Ａ２のうちの一方向を第１の方向Ａ１と呼ぶことにする。また、幅方向Ｂ１・Ｂ２の方向のうちの一方向を第２の方向Ｂ１と呼ぶことにする。さらに、厚み方向Ｃ１・Ｃ２のうちの一方向を第３の方向Ｃ１と呼ぶことにする。  ケース部品１１は、四角板形状の底面部１２と、底面部１２の幅方向Ｂ１・Ｂ２と平行な二辺のうちの一辺から底面部１２上に立設している板状の第１の側面部１３と、底面部１２の一辺と対向している他辺から底面部１２上に立設されている板状の第２の側面部１４とを有する。
【００２３】
第１の側面部１３及び第２の側面部１４は、これらの板面が互いに長手方向Ａ１・Ａ２で対向している。第１の側面部１３には、接続対象部品４１とケース部品１１とを相互にロックする一対の第１のロック部１５，１５と、ケーブル部品３１を挿通するためのケーブル挿通部（長孔）１６とが形成されている。一対の第１のロック部１５，１５は、幅方向Ｂ１・Ｂ２で互いに間隔をもって第１の側面部１３に位置している。
【００２４】
第１のロック部１５、１５のそれぞれは、第１の側面部１３の上端から第３の方向Ｃ１で底面部１２へ向かって切欠き状に形成されている第１の挿入部１５ａを有する。
【００２５】
さらに、第１のロック部１５、１５のそれぞれは、第１の挿入部１５ａの第３の方向Ｃ１の下端から幅方向Ｂ・Ｂで第２の方向Ｂ１とは逆方向Ｂ２へ長孔形状に形成されている第１の係合部１５ｂを有する。
【００２６】
第１の挿入部１５ａと第１の係合部１５ｂとは、第１の側面部１３を外側面から見ると、略Ｌ字形の切り欠きとなるように互いに第２の方向Ｂ１及び第３の方向Ｃ１において交差する部分で連設されている。
【００２７】
ケーブル挿通部１６は、ケーブル部品３１を挿通するために底面部１２に近接し底面部１２に沿って幅方向Ｂ１・Ｂ２に長い形状の長孔となっている。また、ケーブル挿通部１６は、ケーブル部品３１の幅方向Ｂ１・Ｂ２の寸法と同等の寸法もしくは少し大きな寸法となっている。
【００２８】
第２の側面部１４は、接続対象部品４１とケース部品１１とをロックするための一対の第２のロック部１７，１７と、ケーブル挿通部１６に挿通されて底面部１２上に位置させたケーブル部品３１を位置決めするための位置決め部１８とが形成されている。一対の第２のロック部１７，１７は、幅方向Ｂ１・Ｂ２で互いに間隔をもって第２の側面部１４に位置している。
【００２９】
一対の第２のロック部１７，１７のそれぞれは、第２の側面部１４の上端から第３の方向Ｃ１で底面部１２へ向かって切り欠き状に形成されている第２の挿入部１７ａを有する。
【００３０】
さらに、一対の第２のロック部１７，１７のそれぞれは、第２の挿入部１７ａの第３の方向Ｃ１の下端から幅方向Ｂ・Ｂで第２の方向Ｂ１とは逆方向Ｂ２へ長孔形状に形成されている第２の係合部１７ｂを有する。
【００３１】
第２の挿入部１７ａと第２の係合部１７ｂとは、第２の側面部１４を外側面から見ると、逆Ｌ字形の切り欠きとなるように互いに第２の方向Ｂ１及び第３の方向Ｃ１において交差する部分で連設されている。一対の第１のロック部１５、１５と一対の第２のロック部１７，１７とは、これらが同じ形状であり、長手方向Ａ１・Ａ２において対向している。
【００３２】
位置決め部１８は、ケーブル位置決め部３２を嵌装する部分であり、底面部１２に近接し、底面部１２に沿って幅方向Ｂ１・Ｂ２に長い形状の長孔となっている。
【００３３】
上述したケース部品１１は、金属板を打ち抜き折り曲げることにより作ることができる。なお、ケース部品１１は、樹脂材を成形することによっても作ることができる。
【００３４】
弾性体２１は、四角板状の基部２３と、基部２３の一面から突出するように形成されている複数の突部２５とを有する。実施例１における複数の突部２５は、長手方向Ａ１・Ａ２で４つの突部２５が互いに間隔（ピッチ）をもって配置されている。これら４つの突部２５は、幅方向Ｂ１・Ｂ２で２列に配置されている。
【００３５】
弾性体２１としては、スポンジ、ゴム、シリコーンゲルなどのうちの、いずれかを採用し、基部２３と突部２５とを同時に成形することによって作ることができる。  ケーブル部品３１は、絶縁シート３１ａ内に配設されている導体（図示せず）とからなる帯状のフレキシブル基板である。ケーブル部品３１の第１の方向Ａ１側の一方端部には、ケース部品１１の位置決め部１８に嵌装されて係合するケーブル位置決め部３２が形成されている。
【００３６】
ケーブル位置決め部３２は、ケーブル部品３１の第１の方向Ａ１の端部と幅方向Ｂ１・Ｂ２の端部との両端部を切り欠くことによって残された部分である。また、ケーブル位置決め部３２は、位置決め部１８の幅方向Ｂ１・Ｂ２における寸法と同じ寸法もしくは少し小さな寸法となっている。
【００３７】
さらに、ケーブル部品３１の一方の面３１ｂには、絶縁シート３１ａ内に配設されている導体と接続する複数のケーブル接点部３３が配設されている。ケーブル部品３１のケーブル接点部３３は、ケーブル部品３１の幅方向Ｂ１・Ｂ２と平行な方向で長い形状となっている。
【００３８】
実施例１における複数のケーブル接点部３３は、長手方向Ａ１・Ａ２で４つのケーブル接点部３３が互いに間隔をもって配置されている。これら４つのケーブル接点部３３は、幅方向Ｂ１・Ｂ２で２列に配置されている。ケーブル接点部３３は、ケース部品１１と接続対象部品４１とをロックする際に、弾性体２１の８つの突部２５のそれぞれに絶縁シート３１ａを介して対向する。
【００３９】
なお、実施例１におけるケーブル部品３１としては、フレキシブル・プリンテッド・サーキット（ＦＰＣ）又はフレキシブル・フラット・ケーブル（ＦＦＣ）などのフレキシブル基板が知られている。
【００４０】
実施例１における接続対象部品４１は、ＣＣＤカメラである。接続対象部品４１は、外側が樹脂材によって長方体形状に形成されている本体部（ＩＣモジュール）４３と、本体部４３の上面４３ａに設けられているカメラ用のレンズ体４４とを有する。本体部４３には、底面４３ｂに複数の接点部４５が配設されている。本体部４３の内部には、ＩＣなどの集積回路が内蔵されている。
【００４１】
複数の接点部４５は、ケーブル部品３１のケーブル接点部３３と接続するように、ケーブル接点部３３と同じ数であり、ケーブル接点部３３と同じように配列されている。本体部４３には、ケース部品１１と接続対象部品４１とをロックする際に、第１の側面部１３に対向させる一方の側面４６から第１の方向Ａ１とは逆方向Ａ２へ突出している一対の被係合部４６ａ，４６ｂが設けられている。
【００４２】
さらに、本体部４３には、ケース部品１１と接続対象部品４１とをロックする際に、第２の側面部１４に対向させるように、他方の側面４７から第１の方向Ａ１へ突出している一対の被係合部４７ａ，４７ｂが設けられている。一対の被係合部４６ａ，４６ｂは、一対の第１のロック部１５，１５に一対一に挿入され係合する。一対の被係合部４７ａ，４７ｂは、一対の第２のロック部１７，１７に一対一に挿入され係合する。一対の被係合部４６ａ，４６ｂと一対の被係合部４７ａ，４７ｂとは、第１のロック部１５，１５及び第２のロック部１７，１７に一対一に挿入されて係合することにより、ケース部品１１と接続対象部品４１とをロック状態とする役目を果たす。
【００４３】
ケース部品１１、弾性体２１及びケーブル部品３１の形状寸法は、接続対象部品４１の本体部４１の形状寸法によって適宜に設計される。ケース部品１１の第１及び第２の側面部１３，１４間の寸法は、接続対象部品４１の本体部４３の長手方向Ａ１・Ａ２の寸法Ｌと略等しい寸法もしくは少し大きい寸法とする。
【００４４】
ケース部品１１の底面部１２の幅方向Ｂ１・Ｂ２における寸法は、本体部４３の幅方向Ｂ１・Ｂ２の寸法Ｗと略等しい寸法もしくは少し大きな寸法とする。第１及び第２の側面部１３，１４の高さ寸法Ｔは、本体部４３の厚み方向Ｃ１・Ｃ２の寸法よりも少し大きい寸法とする。
【００４５】
弾性体２１の寸法は、基部２３がケース部品１１の底面部１２の長手方向Ａ１・Ａ２の寸法及び幅方向Ｂ１・Ｂ２と同じ寸法もしくは少し小さい寸法とすることが望ましい。突部２５を含む弾性体２１の厚み方向Ｃ１・Ｃ２の寸法は、ケース部品１１と接続対象部品４１とが、弾性体２１とケーブル部品３１とを介してロック状態となった際に、弾性体２１が弾性変形して圧縮された形態となるように寸法を設定する。
【００４６】
さらに、ケーブル部品３１は、接続対象部品４１の底面４３ｂに対応する幅を有する。この際、ケーブル部品３１の幅は、接続対象部品４１の接点部４５と一対一に接続するために、複数のケーブル接点部３３を配置することができる幅方向Ｂ１・Ｂ２の寸法とする。
【００４７】
また、第１のロック部１５，１５及び第２のロック部１７，１７は、ケース部品１１の底面部１２上に配設された弾性体２１及びケーブル部品３１よりも第３の方向Ｃ１とは逆方向Ｃ２で高い位置になるように第１及び第２の側面部１３，１４に形成される。
【００４８】
図１に示したように、モジュールソケットと接続対象部品４１とがロック状態にあるときには、接続対象部品４１の被係合部４６ａ，４６ｂ，４７ａ，４７ｂがケース部品１１の第１の係合部１５ｂ及び第２の係合部１７ｂの幅方向Ｂ１・Ｂ２のうちの第１の方向Ｂ１とは逆方向Ｂ２側の一端に位置している。このとき、接続対象部品４１の底面４３ｂは、ケース部品１１の底面部１２と相対向して位置している。この状態で、接続対象部品４１の本体部４３の上面４３ａは、第１及び第２の側面部１３，１４と略同じ高さになっている。
【００４９】
以下、モジュールソケットの組立作業について説明する。モジュールソケットの組立作業においては、始に、弾性体２１をケース部品１１の底面部１２上に設置する。この際、弾性体２１は、底面部１２に対して反対向きになるように突部２５を上向きにして設置する。弾性体２１は、ケース部品１１の底面部１２上に一体に固定される。弾性体２１をケース部品１１の底面部１２に固定するには、接着剤を用いて弾性体２１の基部２３と底面部１２とを固定する。
【００５０】
次に、ケーブル部品３１のケーブル位置決め部３２を前方として、ケーブル部品３１の第１の方向Ａ１における一端部を第１の側面部１３のケーブル挿通部１６に貫通させる。この際、ケーブル接点部３３が底面部１２に対して反対向きになるように弾性体２１の突部２５上へ挿入していく。
【００５１】
ケーブル挿通部１６を通過させたケーブル部品３１の一端部は、底面部１２に設置されている弾性体２１の突部２５上に位置する。このとき、第２の側面部１４の位置決め部１８には、ケーブル部品３１のケーブル位置決め部３２を挿入して係合する。
【００５２】
したがって、弾性体２１は、ケース部品１１の底面部１２とケーブル部品３１との間に配置される。即ち、弾性体２１は、底面部１２とケーブル部品３１との間に配置され、ケーブル接点部３３が底面部１２と対向しない面でケース部品１１に位置決めされる。
【００５３】
上述したように組み立てられたモジュールソケットにおいて、接続対象部品４１を装着するには、ケース部品１１の第１及び第２の側面部１３，１４間に接続対象部品４１の本体部４３の側面４６，４７が平行になるように位置する。その後、本体部４３の被係合部４６ａ，４６ｂ，４７ａ，４７ｂを第１及び第２のロック部１５，１５，１７，１７の第１及び第２の挿入部１５ａ，１７ａへ第３の方向Ｃ１で挿入する。また、本体部４３の底面４３ｂの面の中央を方向の基点とし、このとき、本体部４３の被係合部４６ａ，４６ｂ，４７ａ，４７ｂは、第１及び第２の挿入部１５ａ，１７ａの下端まで挿入すると、本体部４３の底面４３ｂの第２の方向Ｂ１側はケース部品１１の底面部１２から外れた状態で位置する。また、弾性体２１は、ケース部品１１の底面部１２と本体部４３の底面４３ｂとの間に介在された状態で、底面部１２と底面４３ｂとの間で押圧されることで弾性体２１が弾性変形して圧縮された状態を保つ。
【００５４】
次に、ケース部品１１を弾性体２１及びケーブル部品３１と共に第２の方向Ｂ１へスライド移動させると、本体部４３の接点部４５に対してケーブル接点部３３が摺接しながら移動する。この際、ケース部品１１の第１及び第２の係合部１５ｂ，１７ｂが本体部４３の被係合部４６ａ，４６ｂ，４７ａ，４７ｂに対して係合しスライド移動することで、ケース部品１１と接続対象部品４１とが互いにロックする。  したがって、第１及び第２の側面部１３，１４に形成されている第１及び第２のロック部１５，１５，１７，１７は、接続対象部品４１に対して第２の方向Ｂ１へスライド移動したときに、接続対象部品４１がケース部品１１の底面部１２の範囲に位置しロックされる。
【００５５】
また、モジュールソケットは、ケース部品１１をスライド移動させてロックする構造である。また、ケーブル接点部３３は、ケーブル部品３１の幅方向Ｂ１・Ｂ２に長い形状となっているので、安定した接触が得られる。
【００５６】
したがって、ケーブル接点部３３は、接続対象部品４１の接点部４５に対して摺動するので、各ケーブル接点部３３や各接点部４５上の塵やオイルなどの汚染物を除去できるワイピング効果を得られる。
【００５７】
また、ケース部品１１には、位置決め部１８が形成されているので、ケーブル部品１１のケーブル位置決め部３２が位置決め部１８に係合している。それ故に、接続対象部品４１は、ケース部品１１をスライド移動するときにも位置ずれが起きないような構造となっている。
【００５８】
なお、第１及び第２のロック部１５，１５，１７，１７の位置は、ケース部品１１と接続対象部品４１とが相互にロックされた状態において、接続対象部品４１の本体部４３がケース部品１１の底面部１２よりも外側へはみ出さないように設計することが望ましい。
【００５９】
ようするに、第１及び第２のロック部１５，１５，１７，１７を形成する際には、接続対象部品４１の被係合部４６ａ，４６ｂ、４７ａ、４７ｂの位置との関係で相対的に位置を決めるように設計すればよい。
【００６０】
また、第１及び第２の係合部１５ａ，１５ｂ，１７ａ、１７ｂは、第２の方向Ｂ１から逆方向Ｂ２へテーパー形状に狭まるような長孔形状であってもよい。
【００６１】
さらに、モジュールソケットは、接続対象部品４１をスライド移動させてケース部品１１とロックするようにしてもよい。
【実施例２】
【００６２】
図３は、本発明に係るモジュールソケットの実施例２を示している。図４は、図３に示したモジュールソケットと接続対象部品とを組み立て接続した状態を示している。
【００６３】
なお、実施例２において、実施例１によって説明したモジュールソケット及び接続対象部品と同じ部分には同じ符号を付して説明を省略する。
【００６４】
図３及び図４を参照して、実施例２において実施例１によって説明したモジュールソケットと相違する部分は、ケース部品１１１の第１の側面部１３に形成されている第１のロック部１５´と、第２の側面部１４に形成されている第２のロック部１７´のみである。
【００６５】
第１の側面部１３には、接続対象部品４１とケース部品１１１とを相互にロックする一対の第１のロック部１５，１５´と、ケーブル部品３１を挿通するようにケーブル挿通部（長孔）１６とが形成されている。
【００６６】
第１の側面部１３には、幅方向Ｂ１・Ｂ２で互いに間隔をもって一対の第１のロック部１５，１５´が形成されている。一方の第１のロック部１５は、図１及び図２によって説明した一対の第１のロック部１５，１５と同じ形状となっている。
【００６７】
他方の第１のロック部１５´は、幅方向Ｂ１・Ｂ２に長い形状の係合部となっている。なお、他方の第１のロック部１５´は、図１及び図２によって説明した第１の挿入部１５ａがなく、第１の係合部１５ｂのみが形成されているものと同じ形状の長孔形状の係合部である。
【００６８】
第２の側面部１４は、接続対象部品４１とケース部品１１１とを相互にロックする一対の第２のロック部１７，１７´と、ケーブル挿通部１６に挿通されて底面部１２上に位置させたケーブル部品３１を位置決めするための位置決め部１８が形成されている。
【００６９】
第２の側面部１４には、幅方向Ｂ１・Ｂ２で互いに間隔をもって一対の第２のロック部１７，１７´が形成されている。一方の第２のロック部１７は、図１及び図２によって説明した一対の第２のロック部１７，１７と同じ形状となっている。
【００７０】
他方の第２のロック部１７´は、図１及び図２によって説明した第２の挿入部１７ａがなく、第２の係合部１７ｂのみが形成されているものと同じ形状の長孔形状の係合部である。
【００７１】
第１の側面部１３の一方の第１のロック部１５と第２の側面部１４の一方の第２のロック部１７とは、これらが同じ形状であり、一方の第１のロック部１５及び一方の第２のロック部１７が長手方向Ａ１・Ａ２において対向している。
【００７２】
第１の側面部１３の他方の第２のロック部１５´と第２の側面部１４の他方の第２のロック部１７´とは、これらが同じ形状であり、他方の第１のロック部１５´及び他方の第２のロック部１７´が長手方向Ａ１・Ａ２において対向している。
【００７３】
また、接続対象部品４１の本体部４３に設けられている一対の被係合部４６ａ，４６ｂ（図２を参照）は、一対の第１のロック部１５，１５´に一対一に挿入され係合するとともに、一対の被係合部４７ａ，４７ｂが第２のロック部１７，１７´に一対一に挿入されて係合することにより、ケース部品１１１と接続対象部品４１とをロック状態とする。
【００７４】
以下に、実施例２におけるモジュールソケットの組立作業と、組み立てられたモジュールソケットと接続対象部品４１とを機械的にロックし電気的に接続するための作業について説明する。
【００７５】
モジュールソケットの組立作業では、実施例１において図１及び図２を参照して説明したように、ケース部品１１１に弾性体２１を設置する。次に、接続対象部品４１の本体部４３の側面４６，４７がケース部品１１１の第１及び第２の側面部１３，１４に平行になるように位置する。その後、本体部４３の一方の被係合部４６ａ，４７ａを一方の第１のロック部１５及び第２のロック部１７の第１の挿入部１５ａ及び第２の挿入部１７ａへ第３の方向Ｃ１で挿入する。このとき、本体部４３の他方の被係合部４６ｂ，４７ｂは、ケース部品１１１の第１及び第２の側面部１３，１４を長手方向Ａ１・Ａ２で外側へ広がる方向へ変形させておき、他方の第１のロック部１５´及び第２のロック部１７´へ第３の方向Ｃ１で挿入する。
【００７６】
本体部４３の一方の被係合部４６ａ，４７ａが第１及び第２の挿入部１５ａ，１７ａの下端まで挿入され、他方の被係合部４６ｂ，４７ｂが他方の第１及び第２のロック部１５´，１７´へ第３の方向Ｃ１で挿入されると、変形していたケース部品１１１の第１及び第２の側面部１３，１４が自然状態に戻る。この際、本体部４３の底面４３ｂの第２の方向Ｂ１側は、ケース部品１１１の底面部１２から外れて位置している。弾性体２１は、ケース部品１１１の底面部１２とケーブル部品３１との間に介在された状態で、ケース部品１１１の底面部１２と本体部４３の底面４３ｂとを近づく向きに押圧することで弾性変形することにより圧縮された形態を保つ。
【００７７】
次に、ケース部品１１１を弾性体２１及びケーブル部品３１とともに第２の方向Ｂ１へスライド移動させると、本体部４３の接点部４５に対してケーブル接点部３３が摺接しながら移動する。この際、ケース部品１１１は、第１及び第２の係合部１５ｂ，１７ｂが本体部４３の被係合部４６ａ，４７ａに対して係合しスライド移動する。同時に他方の被係合部４６ｂ，４７ｂは、第２のブロック部１５´，１７´である長孔形状の係合部をスライド移動することで、ケース部品１１１と接続対象部品４１とがロックする。
【００７８】
よって、第１及び第２のロック部１５，１５´，１７，１７´は、接続対象部品４１に対して第２の方向Ｂ１へスライド移動したときに、接続対象部品４１がケース部品１１１の底面部１２の範囲に移動してロックされる。
【実施例３】
【００７９】
図５（Ａ）及び図５（Ｂ）は、図２において説明した実施例１のモジュールソケットのケーブル部品３１と弾性体２１を一体とした実施例３を示している。
【００８０】
図５（Ａ）及び図５（Ｂ）を参照して、ケーブル部品３１と弾性体２１とは、ケーブル接点部３３を配設していないケーブル部品３１の他方の面３１ｃと、突部２５を有していない弾性体２１の基部２３の他方の面とを接続することにより一体となっている。
【００８１】
図２に示したケース部品１１の底面部１２には、弾性体２１の突部２５が当接する。突部２５は、基部２３及びケーブル部品３１の絶縁シート３１ａを介してケーブル接点部３３に一対一に対向させる。
【００８２】
弾性体２１が一体に形成されているケーブル部品３１は、ケーブル部品３１の他端部をケース部品１１のケーブル挿通部１６へ第１の方向Ａ１とは逆方向Ａ２へ挿入し、弾性体２１とケーブル部品３１の一端部をケース部品１１の底面部１２上に位置させて、ケース部品１１の位置決め部１８にケーブル部品３１のケーブル位置決め部３２を挿入して位置決めする。
【００８３】
そして、実施例１におけるモジュールソケットの組立作業と同じ作業によりケーブル接点部３３と接続対象部品４１の接点部４５とを接続する。
【００８４】
なお、弾性体２１の突部２５の上面は、ケース部品１１の底面部１２に接着剤によって固定するようにしてもよい。
【実施例４】
【００８５】
図６（Ａ）及び図６（Ｂ）は、図２において説明した実施例１のモジュールソケットのケーブル部品３１と、このケーブル部品３１と一体となっている弾性体１２１とからなる実施例４を示している。
【００８６】
図６（Ａ）及び図６（Ｂ）を参照して、弾性体１２１は、基部１２３と、基部１２３の一面から突出している複数の突部１２５とを有する。
【００８７】
ケーブル部品３１と弾性体１２１とは、ケーブル接点部３３を配設していないケーブル部品３１の他方の面３１ｃと、突部１２５を有していない弾性体１２１の基部１２３の他方の面とを接続することにより一体となっている。
【００８８】
基部１２３の一面には、接続対象部品４１の接点部４５よりも細かく形成されている複数の突部１２５が配設されている。接続対象部品４１の接点部４５のピッチよりも細かく形成されている複数の突部１２５は、図６（Ｂ）において矢印によって示したケーブル接点部３３の長手方向Ａ１，Ａ２及び幅方向Ｂ１・Ｂ２で対向するように複数の突部１２５同士が２列に配設されている。
【００８９】
図２に示したケース部品１１の底面部１２には、弾性体１２１の突部１２５が当接する。
【００９０】
弾性体１２１が一体に形成されているケーブル部品３１は、ケーブル部品３１の他端部をケース部品１１のケーブル挿通部１６へ第１の方向Ａ１とは逆方向Ａ２へ挿入する。そして、弾性体１２１とケーブル部品３１の一端部をケース部品１１の底面部１２上に位置させて、ケース部品１１の位置決め部１８にケーブル部品３１のケーブル位置決め部３２を挿入して位置決めする。さらに、実施例１におけるモジュールソケットの組立作業と同じ作業によりケーブル接点部３３と接続対象部品４１の接点部４５とを接続する。
【００９１】
実施例４においては、更なる安定した接触を得るために、弾性体１２１に接点部３３のピッチよりも細かな突部１２５を設けることで、弾性体１２１とケーブル部品３１との高精度の位置決めは必要なくなり、他のアイテムへの転用や狭ピッチ化などに容易に対応可能な接触構造が得られる。また、モジュールソケットは、接続対象部品４１の接点部４５が狭い間隔（ピッチ）になったとしても、ケーブル部品３１以外の部品を新規に制作する必要がない。
【実施例５】
【００９２】
図７（Ａ）及び図７（Ｂ）は、図２において説明した実施例１のモジュールソケットのケーブル部品３１と、このケーブル部品３１と一体となっている弾性体２２１とからなる実施例５を示している。
【００９３】
図７（Ａ）及び図７（Ｂ）を参照して、弾性体２２１は、基部２２３と、基部２２３の一面から突出している複数の突部２２５とを有する。
【００９４】
ケーブル部品３１と弾性体２２１とは、ケーブル接点部３３を配設していないケーブル部品３１の他方の面３１ｃと、突部２２５を有していない弾性体２２１の基部２２３の他方の面とを接続することにより一体となっている。
【００９５】
弾性体２２１には、接続対象部品４１の接点部４５のピッチよりも細かく形成されている複数の突部２２５が配設されている。接続対象部品４１の接点部４５のピッチよりも細かく形成されている複数の突部２２５は、ケーブル接点部３３の長手方向Ａ１，Ａ２（図６（Ｂ）の矢印で示した方向を参照）及び幅方向Ｂ１・Ｂ２（図６（Ｂ）の矢印で示した方向を参照）の略全体に密集するように配設されている。
【００９６】
図２に示したケース部品１１の底面部１２には、弾性体２２１の突部２２５が当接する。
【００９７】
弾性体２２１が一体に形成されているケーブル部品３１は、ケーブル部品３１の他端部をケース部品１１のケーブル挿通部１６へ第１の方向Ａ１とは逆方向Ａ２へ挿入し、弾性体２２１とケーブル部品３１の一端部をケース部品１１の底面部１２上に位置させて、ケース部品１１の位置決め部１８にケーブル部品３１のケーブル位置決め部３２を挿入することにより位置決めする。
【００９８】
そして、実施例１におけるモジュールソケットの組立作業と同じ作業によりケーブル接点部３３と接続対象部品４１の接点部４５とを接続する。
【００９９】
実施例５におけるモジュールソケットでは、更なる安定した接触を得るために、弾性体２２１の略全体にケーブル接点部３３のピッチよりも細かな突部２２５を設けることで、弾性体２２１とケーブル部品３１との高精度の位置決めは必要なくなり、他のアイテムへの転用や狭ピッチ化などに容易に対応可能な接触構造が得られる。
【０１００】
なお、図６（Ａ），図６（Ｂ）によって説明した弾性体１２１を形成したケーブル部品３１、及び図７（Ａ），図７（Ｂ）によって説明した弾性体２２１を形成したケーブル部品３１は、実施例２に示したモジュールソケットのケース部品１１においても適用できる。
【０１０１】
さらに、接続対象部品４１の被係合部４６ａ，４６ｂ，４７ａ、４７ｂの材質は、通常、本体部４３と同じ樹脂によって成形することが望ましい。なお、被係合部４６ａ，４６ｂ，４７ａ、４７ｂを樹脂とすると、接触圧力により被係合部４６ａ，４６ｂ，４７ａ、４７ｂが破壊される可能性がある場合には、被係合部４６ａ，４６ｂ，４７ａ、４７ｂの材質を、図８及び図９に示す金属材（金属ピン）とすることで改善することができる。
【０１０２】
また、金属ピンとした被係合部１４６ａ，１４６ｂ，１４７ａ、１４７ｂは、接続対象部品４１の本体部４３の外形部を形成するときに本体部４３にインサート成形するか、もしくは本体部４３に圧入という方法で形成することができる。
【０１０３】
また、弾性体１２１，２２１の形状，及び突部１２５，２２５の配置は、図１及び図２にも適応することができる。さらに、実施例３乃至実施例５では、ケーブル部品３１に弾性体２１、１２１，２２１を一体に形成する方法を取っているが、ケーブル部品３１に弾性体２１、１２１，２２１を接着剤によって固定するように構成してもよい。
【図面の簡単な説明】
【０１０４】
【図１】本発明に係るモジュールソケットの実施例１と、このモジュールソケットに接続対象部品を装着した状態を示す斜視図である。
【図２】図１に示したモジュールソケットを分解し、接続対象部品とともに示した斜視図である。
【図３】本発明に係るモジュールソケットの実施例２を示しており、モジュールソケットに接続対象部品を装着した状態を示す斜視図である。
【図４】図３に示したモジュールソケットのケース部品を示した斜視図である。
【図５】（Ａ）は、図１に示したモジュールソケットの実施例３を示しており、弾性体とケーブル部品とを示す斜視図、（Ｂ）は（Ａ）に示したケーブル部品を裏側から見た上体の斜視図である。
【図６】（Ａ）は、図１に示したモジュールソケットの実施例４を示しており、弾性体とケーブル部品とを示す斜視図、（Ｂ）は（Ａ）に示したケーブル部品を裏側から見た上体の斜視図である。
【図７】（Ａ）は、図１に示したモジュールソケットの実施例５を示しており、弾性体とケーブル部品とを示す斜視図、（Ｂ）は（Ａ）に示したケーブル部品を裏側から見た上体の斜視図である。
【図８】図１に示した接続対象部品の被係合部に代わる被係合部の例を示しており、接続対象部品に被係合部を設ける前の状態の斜視図である。
【図９】図８に示した被係合部を接続対象部品の本体部に固定した状態を示す斜視図である。
【符号の説明】
【０１０５】
１１，１１１    ケース部品
１２      底面部
１３      第１の側面部（側面部）
１４      第２の側面部（側面部）
１５，１５´    第１のロック部
１５ａ    第１の挿入部
１５ｂ    第１の係合部
１６    ケーブル挿通部（長孔）
１７，１７´    第２のロック部
１７ａ    第２の挿入部
１７ｂ    第２の係合部
１８      位置決め部
２１，１２１，２２１    弾性体
２３，１２３，２２３    基部
２５，１２５，２２５    突部
３１      ケーブル部品
３１ａ    絶縁シート
３２      ケーブル位置決め部
３３      ケーブル接点部
４１      接続対象部品
４３      本体部
４３ｂ    接続対象部品の底面
４４      レンズ体
４５      接続対象部品の接点部
４６ａ，４６ｂ，４７ｂ，１４６ａ，１４６ｂ，１４７ａ，１４７ｂ    被係合部
Ａ１      第１の方向
Ａ２      逆方向
Ｂ１      第２の方向
Ｂ２      逆方向
Ｃ１      第３の方向
Ｃ２      逆方向
【図１】
2009064670.tif 000003
【図２】
2009064670.tif 000004
【図３】
2009064670.tif 000005
【図４】
2009064670.tif 000006
【図５】
2009064670.tif 000007
【図６】
2009064670.tif 000008
【図７】
2009064670.tif 000009
【図８】
2009064670.tif 000010
【図９】
2009064670.tif 000011